(57)【要約】【課題】義歯を選択するための改良された方法及び装置を提供する。【解決手段】前歯を選択するためのキットであり、このキットは鼻の幅及び／または両目間の距離を測定し、その測定値を義歯の寸法と相関させるための顔面測定器と、複数のカードからなる前歯選択ガイドとから構成され、該カードは寸法、なだらかさ及び険しさの異なる多様な上側前歯のセットがその上に描写されるため歯科医あるいは歯科専門家が患者の顔に隣接させてカードを配置し、前歯選択ガイドの使用に基づき選択された義歯の初期評価を行う。このキットは更に前歯及び後方歯の多様なセットから構成されるモールドガイドを備える。このキットは歯科専門家による歯選択処理を容易にする。【選択図】図４
2005224615.tif 000002
【特許請求の範囲】
【請求項１】
鼻の幅及び／または両目間の距離を測定し、その測定値を義歯の寸法と相関させるための顔面測定器と；
複数のカードからなる前歯選択ガイドであり、該カードはその上に図示された、寸法、なだらかさ及び険しさの異なる多様な上側前歯セットを有するため、歯科専門家が患者の顔に隣接させてカードを配置し、顔面測定器を使用して選択された義歯の初期評価を行い、且つ必要に応じて、患者の顔に隣接して更に別の隣接したカードを配置することにより最初の選択を確認あるいは変更する前歯選択ガイドとから構成される義歯選択キット。
【請求項２】
さらに前歯及び後方歯の多様なセットから構成されるモールドガイドを備え、該前歯のセットは小、中、大の寸法のグループで配列され、上側前歯のグループは更になだらか及び険しい形状の列に分けられ、且つ下側前歯のグループは列に配列され、前歯の列全ては更に短いものから長いものまで長さにより分けられ、且つ後方歯は水平面から解剖学的な面まで咬合面によりグループで分けられ、後方歯の各グループは更に小、中、大の寸法で分けられることを特徴とする請求項１記載の義歯選択キット。
【請求項３】
前記顔面測定器は第１、第２の下側部材、上側部材から構成され、これらは中間の位置を軸に旋回し、前記上側部材はその上にポインターを有し、更に下側部材は前記前歯の大、中、小モールドセットを示す印字を記載し、前記印字は更になだらかなモールド及び険しいモールドに細分化されることを特徴とする請求項１記載の義歯選択キット。
【請求項４】
前記複数のカードは６種類のカードから構成され、第１カードは小さくなだらかな上側前歯全体を示し、第２カードは小さく険しい上側前歯全体を示し、第３カードは中間でなだらかな上側前歯全体を示し、第４カードは中間で険しい上側前歯全体を示し、第５カードは大きくなだらかな上側前歯全体を示し、第６カードは大きく険しい上側前歯全体を示すことを特徴とする請求項１記載の義歯選択キット。
【請求項５】
前記モールドガイドはペーパーモールドガイドであり表面に印刷された多様なセットの歯が図示されることを特徴とする請求項２記載の義歯選択キット。
【請求項６】
前記モールドガイドは生体モールドガイドであり選択ボックス内に載置された多様な歯のセットを有することを特徴とする請求項２記載の義歯選択キット。
【請求項７】
鼻の幅及び／または両目間の距離を測定し、その測定値を義歯の寸法と相関させるための顔面測定器を提供し；
患者の鼻の幅及び／または両目間の距離を測定し、その測定値に基づき使用すべき歯の寸法を決定し、且つ患者の外観、たくましい男性なあるいは穏やかな女性に基づきなだらかな歯の形状あるいは険しい歯の形状のいずれを使用するべきかを決定し；
寸法、なだらかさ及び険しさの異なる多様な上側前歯のセットが表面に描写される複数のカードから構成される前歯選択ガイドを提供し；さらに
顔面測定器を使用して選択されたカードを患者の顔に隣接させて選択すべき義歯の初期評価を行い、且つ必要に応じて、患者の顔に隣接して更に別の隣接したカードを配置することにより最初の選択を確認あるいは変更する工程から構成される義歯選択方法。
【請求項８】
前歯及び後方歯の多様なセットから構成され、該前歯のセットは小、中、大の寸法のグループで配列され、上側前歯のグループは更になだらか及び険しい形状の列に分けられ、且つ下側前歯のグループは列で配列され、前歯の列全ては更に短いものから長いものまで長さにより分けられ、且つ後方歯は水平面から解剖学的な面まで咬合面によりグループで分けられ、後方歯の各グループは更に小、中、大の寸法で更に分けられるモールドガイドを提供し；
カードから選択された歯のグループから上側前歯の適切な長さを選択し、下側前歯は上側前歯とほぼ同じ長さを選択し、更に所望の咬合面を有する後方歯を選択し、次に上側前歯の寸法に基づき後方歯の寸法を選択する更なる工程から構成される請求項７記載の義歯選択方法。
【発明の詳細な説明】
【技術分野】
【０００１】
本発明は、義歯を選択する改良された装置及び方法に関し、より詳細には前歯及び後方歯の鋳型を選択する際に使用し易いシステムとして歯科専門家に適宜提供できるよう改良されたシステムに関する。
【背景技術】
【０００２】
ここ何十年もの間、歯科専門家は人の頭の形状あるいは歯列弓形が人の歯の形状に対応する理論に原則的に基づいた義歯選択方法を教示してきた。すなわち、第１次大戦直前に、ジェイ．レオン  ウィリアムズは歯の形状と人の頭の形状とは相関関係があることを発表した。すなわち、正方形、テーパー、卵形の「ウィリアム分類法」が生まれた。この理論によると、逆転させた上顎骨の切歯は、側面図及び正面図の両方で、人の顔とだいたい同じ形状を有することを示す。この理論の正当性はこれまで多くの著者により疑問視されているが、取外し可能な補綴歯科学の分野において、主に技術的革新の停滞のため、現在のモールドガイドにおいて広く行き渡って今日残存する。基本的な歯の形状は上記概念、すなわち正方形、テーパー及び卵形に基づき実施されてきた。
【０００３】
これは、予測不可能であり、且つまれにしか再現できない不正確で主観的な分析となることが明らかとなった。不幸にも義歯モールドガイドは同じ理論に従って、正方形、テーパー、及び卵形歯形に基づき構成され続けている。この分類法は時代を通して科学的長所あるいは実用性がほとんどないと伝えられ、前歯を選択する際に有意な道具とは成り得ない。この非効率的な義歯選択方法の結果として、歯科医は義歯選択処理から手を引いてしまった。この極めて重大な決定は、ひいきのブランドあるいは歯型に満足し、且つ限定された数の鋳型からのみ選択する傾向にある技術者に委ねられてきた。このような技術者は不幸にも患者を診る機会がなく、そのために患者の多くの特徴事項（性別、性質、年齢、神経筋肉に関する状態、歯の履歴など）に基づく情報から判断を行う。
【０００４】
多くの研究者は犬歯間の距離と鼻翼間の幅との相関性を指摘してきた。Ｓｗｉｓｓｅｄｅｎｔの研究者は鼻翼間の幅を器械に記録し、次に自然上顎犬歯に対して器械のポインターを配置した。被験者の７５％において、ポインターは犬歯のほぼ中心領域を示すことがわかった。この研究はＳｗｉｓｓｅｄｅｎｔ（登録商標）  Ａｌａｍｅｔｅｒの開発の原因となった。ブーシェは鼻翼から口内の上顎咬合堤の頬面まで垂直線を下ろすことを提案した。人工犬歯の遠心端縁部あるいは先端部を位置決めするのに使用されるマークを咬合堤上につける。人工歯の正確な寸法を選択するため、犬歯のマーク間の距離は咬合堤の曲線に沿って自由に曲げられる物差しで測定される。６つの上顎前歯は端から端までの幅がこの測定値と等しくなるよう選択される。更にこの関係について研究され、上顎前歯鋳型を選択するのに、より正確に決定できるよう数学的に分析された。フィッシャー博士及びフラッシュ博士はこの専門に対して歯科遺伝学の概念を導入した。歯科遺伝学は歯形態学における多様な変性及び個々の患者の特性（性別、性質、年齢）に従った歯の位置を指摘する概念である。女性の歯鋳型は、ゆるやかで、丸みのある特徴で表され、これはなだらかで、滑らかさを示す。逆に、男性の傾向として、強さ、たくましさ、険しさを表した、強靭な立方形による歯科遺伝学により特徴づけられた。「なだらかさ」及び「険しさ」に従った前歯鋳型形態の体系は一般に受け入れられた前歯形態の分類であり、歯の選択方法に通常使用される。
【発明の開示】
【発明が解決しようとする課題とそのための手段】
【０００５】
本発明は義歯を選択するための改良された方法及び装置を提供することを目的とする。
【０００６】
より詳細には、前歯を選択する際に使用されるキットを提供することを目的とし、このキットは、鼻の幅及び／または両目の間の距離を測定し、且つその測定値と歯の寸法を相関させるための顔面測定器と、上側前歯の多様なセットを表面に図示した複数のカードからなる前歯選択ガイドとから構成され、このカードは小、中、大の異なる寸法を示し、各寸法に対して２種類のカードがあり、その１つはなだらかで、もう１つは険しい形状を表す。使用に際し、歯科医あるいは歯科専門家は患者の顔にカードを隣接して配置し、歯の初期状態を評価して、前歯選択ガイドを使用して選択された歯の最初の評価を行い、更に必要に応じて、隣り合った別のカードを患者の顔に隣接させて最初の選択を確認あるいは交換する。
【０００７】
本発明の更に別の目的として、顔面測定器に使用されるモールドガイド及び選択された前歯と適合する後方歯を選択し易くするための前歯選択ガイドのキットを提供することであり、このモールドガイドは多様な前歯と後方歯のセットを含み、前歯のセットは小、中、大の寸法のグループで配列され、上側前歯のグループは更になだらかな形状、険しい形状と列方向で更に分けられ、下側前歯のグループは列方向に並べられ、前歯の列は全て長さを短いものから長いものまで更に分けられる。後方歯は平面から解剖学的な咬合面によりグループに分けられ、後方歯の各グループは更に小、中、大の寸法で分けられる。使用に際し、歯科医及び歯科専門家はカードから選択された歯のグループから適切な長さの上側前歯を選択し、次にほぼ同じ長さの下側前歯を選択し、次に所望の咬合面を有する後方歯を選択し、次に上側前歯の寸法に基づきその後方歯の寸法を選択する。
【０００８】
より詳細には、顔面測定器は患者の鼻の幅（翼部間の距離）を測定し、その患者に適切な寸法の歯を提供することに使用される。更に、顔面側定器は、両目の目頭間を測定し、その患者に適切な寸法の歯を提供することにも使用される。
【０００９】
前歯選択ガイドは好適には６種類のカードから構成され、以下の義歯、
・小、なだらかな鋳型
・小、険しい鋳型
・中、なだらかな鋳型
・中、険しい鋳型
・大、なだらかな鋳型
・大、険しい鋳型
を示す。
【００１０】
顔面測定器の使用及び患者の外観に基づき、「カード」の中の１つが選択され、前方に引出され、更に患者の口に隣接して配置され最初の評価及び選択が行われる。
【００１１】
より好適な実施態様においては、顔面測定器及び６つのカードから構成される前歯選択ガイドは土台にグロメットにより一緒に保持され、ファンのようにカードを広げることができる。これにより、歯科専門家は患者の顔に対して、個別にカードを保持することができ、それを足掛かりとして、特定の患者に対してどのような寸法及び形状の歯が適切かを決定することができる。
【００１２】
更に本発明の特徴事項、その性質及び様々な長所は、以下に記載する詳細な説明、及び全体を通して同じ符号は同じ部分を示す添付図面と協同してより明らかとなる。
【実施例】
【００１３】
様々な形状で示される装置はキットから構成され、歯科専門家、例えば歯科医により義歯の選択の際に利用される。このキットは、３つの主要構成要素からなり、１０で示される顔面測定器、２６で示される前歯選択ガイド、５０で示されるモールドガイドであり、このモールドガイドは図５で示されるペーパーモールドガイド、あるいは図６で示される生体モールドガイドがある。
【００１４】
顔面測定器は、第1及び第２の下側部材１２、上側部材１４から構成されその中間位置でグロメット１６による軸において旋回する。この下側部材にはその表面にそれぞれ下側印字セット２０、上側印字セット２２が記載される。この下側印字セット２０は顔面測定器を鼻の幅の測定に使用される際に使用し、前歯の大、中、小のモールドセットを表示し、この印字は更になだらかなモールド及び険しいモールドに分けられる。使用の際に、第１矢印１８が１つの印字グループを指し、歯科専門家は義歯に使用すべき歯の寸法が分かり、更に歯科専門家は患者を観察することにより、なだらかなモールドと険しいモールドかのどちらを使用すべきか選択することができる。第２の印字セット２２は、顔面測定器が両眼の目頭間の距離を測定する際に使用され、この第２のセットは目盛とその下に説明文を含み、目頭間の距離を測定する際に第２矢印がその目盛を示す。歯科専門家がその下の説明文から使用すべき歯の寸法を読み取ることができる。一般的には、鼻の幅を測定することがより好適であるが、特定の状況下では、歯科専門家は両目の目頭間の距離を使用することが可能である。図３には、図１に表示された方法で鼻の幅を測定したものが示される。
【００１５】
前歯選択ガイド２６は複数のカードからなり、寸法、なめらかさ及び険しさの異なる多様な上側前歯のセットがその上に記載されており、歯科専門家は患者の顔に隣接してカードを配置し、顔面測定器を利用して選択された歯の初期評価を行い、もし所望であれば、患者の顔に隣接して別の隣接したカードを配置することにより最初の選択の確認あるいは変更を行う。複数のカードはグロメット２８によりまとめて保持される。このガイド２６は好適には６種類のカードから構成され、第１カード３０は小さくなめらかな上側前歯全体、第２カード３２は小さく険しい上側前歯全体、第３カード３４は中間の寸法でなめらかな上側前歯全体、第４カード３６は中間で険しい上側前歯全体、第５カード３８は大きくなめらかな上側前歯全体、第６カード４０は大きく険しい上側前歯全体を表す。前歯選択ガイド２６は更に指示書のカード４２を含む。顔面測定器１０はグロメット２８によりカードに固定される。最後に顔面測定器及びカードはカバーカード４４により覆われる。
【００１６】
上述したように、キットはモールドガイド５０から構成され、これは前歯と後方歯の多様なセットを含み、前歯のセットは小、中、大の大きさのグループに分けられ、この上側前歯のグループは更になめらかな形状と険しい形状と列で更に分けられ、更に下側前歯のグループは列に分けられ、前歯の全ての列は更に短いものから長いものまで長さにより分けられる。更に後方歯は咬合面が平面から解剖学的な面まで分けられ、その後方歯の各グループは更に小、中、大の大きさに分けられる。このモールドガイドにはペーパーモールドガイドがあり、表面に印刷された多くの歯のセットが描写される。このようなモールドガイドは図５に示される。あるいは、このモールドガイドには生体モールドガイドがあり、選択ボックスに載置した多様な歯のセットを有する。このようなモールドガイドは図６に示され、このモールドガイドはバインドの背５２により共に保持される本の形状を有する。前歯は左側隆起部分５４内の適当な凹部内に収容されるカードにより選択される。同様に後方歯は右側隆起部分５６内の適当な凹部内に収容されたカードにより選択される。この生体モールドガイドは閉じると一冊の本のように設計される。
【００１７】
キットは以下の方法で使用され、
工程１−上顎前歯の鋳型の適切な幅を選択する。顔面測定器を使用して患者の鼻翼部間の距離を測定し、示された寸法の分類（小、中，大）に照らす。
工程２−所望の歯形状（なめらかさあるいは険しさ）を選択する。寸法で分類されたものはそれぞれ「なめらかな」モールドと「険しい」モールドに分けられる。なめらかさの列の歯は繊細な線角と、より優しい形状に見える丸みのある切縁部により特徴づけられる。険しさの列の歯はよりはっきりした線角と、より率直な外観を表す直線的な切縁部を有する傾向にある。患者の外観に一番合うような形状に２つの列から選ぶ。
工程３−歯の長さを選択する。歯の長さは作業所で変更あるいは補うことが可能であるため、幅や形状ほど重要ではない。顎間距離、唇の長さ、笑った時に見える歯の量、年齢は長さを選択する際に考慮される。なめらかさ（ソフト）及び険しさ（ボールド）の分類の各列において、短いものから長いものまで配列される。
【００１８】
前歯を一度選択すると、後方歯を次に選択する必要がある。
工程１−患者に適切な咬合計画を選択する。患者の顎堤の解剖学的構造の状態は後方咬合計画の選択の際に重要な因子である。激しく再吸収された歯槽堤は急な咬頭傾斜角の水平力に耐えることができない。
工程２−選択された前歯鋳型に対応して後方歯鋳型を選択する。全体で４つの咬合を選択する際に、３種類の寸法で提供される。４つの咬合選択はイボクラールビバデントの用語で同定される。すなわち、登録商標ＳＲ  Ｏｒｔｈｏｌｉｎｇｕａｌ（登録商標）  ＤＣＬ歯は舌側接触咬合用に特別に設計されたものである。このＳＲ  Ｏｒｔｈｏｌｉｎｇｕａｌ（登録商標）  ＤＣＬは段々に減少する上顎舌側咬頭、浅い下顎咬頭傾斜角、単純な中心窩が特徴である。これらは均衡なあるいは不均衡な咬合計画に適合可能であり、高速で組立てられる顎堤ラップ設計を特徴とする。ＳＲ  Ｏｒｔｈｏｌｉｎｇｕａｌ（登録商標）  ＤＣＬ及びＳＲ  Ｏｒｔｈｏｐｌａｎｅ（登録商標）  ＤＣＬ系統は組合せ（舌側を上側に、水平を下側に）て作業するよう設計された。この下側のＳＲ  Ｏｒｔｈｏｐｌａｎｅ（登録商標）  ＤＣＬは中央溝を有し、ＳＲ  Ｏｒｔｈｏｌｉｎｇｕａｌ（登録商標）  ＤＣＬの上側舌側咬頭と一致させる。これらは両方とも高速で組み立てられる顎堤ラップ設計を特徴とする。ＳＲ  Ｏｒｔｈｏｔｙｐ（登録商標）  ＤＣＬ後方部はよりなだらかな２２°の咬頭傾斜角を特徴とする。これらは解剖学的人工歯と同様に咬合されるが、この咬合は完全な後方解剖学的咬合よりもより寛大な咬頭嵌合を有する。ＳＲ  Ｐｏｓｔａｒｉｓ（登録商標）  ＤＣＬ義歯は部分義歯用に設計された完全な解剖学的鋳型である。この咬合面は完全な義歯よりも広くして自然歯に隣接して調和させる。この舌面は実物大であるためアクリル製歯肉は自然の歯肉まで延在しない。
【００１９】
本発明の好適な形状は上述し、添付の図面で示したが、本発明は上述の特定の実施態様及び添付の図面に特定されるものではなく請求項により規定される範囲にのみ限定されるものである。この点から、請求項に記載される「…手段」なる記載は本出願の図面に示される設計及び明細書に記載される設計と同等なものだけではなく、当業者にとって別の同等で既知なもの、あるいは将来当業者にとって既知となりうる同等なものまで含まれる。
【図面の簡単な説明】
【００２０】
【図１】患者の鼻の幅を測定するのに使用される本発明の顔面測定器を示す。
【図２】図１と同様に、患者の両目の目頭間の距離を測定するのに使用される本発明の顔面測定器を示す。
【図３】顔面測定器の印字を示す。
【図４】顔面測定器、指示、カバーを伴った本発明の前歯選択ガイドを示す。
【図５】ペーパーモールドガイドを示す。
【図６】生体モールドガイドを示す。
【符号の説明】
【００２１】
１０  顔面測定器
２６  前歯選択ガイド
１２  下側部材
１４  上側部材
１６  グロメット
１８  第１矢印
２０  下側印字セット
２２  上側印字セット
２６  前歯選択ガイド
２８  グロメット
３０  第１カード
３２  第２カード
３４  第３カード
３６  第４カード
３８  第５カード
４０  第６カード
４２  指示書のカード
４４  カバーカード
５０  モールドガイド
５２  バインドの背
５４  左側隆起部分
５６  右側隆起部分
【図１】
2005224615.tif 000003
【図２】
2005224615.tif 000004
【図３】
2005224615.tif 000005
【図４】
2005224615.tif 000006
【図５】
2005224615.tif 000007
【図６】
2005224615.tif 000008